(57)【特許請求の範囲】
【請求項１】
外筒と、当該外筒に対して相対的に回転できるように装入され軸方向に鍵穴が設けられた内筒を有し、
前記内筒は、鍵穴と外部が連通した複数の内筒側孔が軸方向に配列されて設けられ、当該内筒側孔には内側タンブラが内蔵されており、
前記外筒には、前記内筒側孔に対応する箇所に外筒側孔が設けられ、当該外筒側孔には外側タンブラが内蔵されており、
前記外側タンブラは、常時内筒側に押圧されており、
内側タンブラと外側タンブラの組み合わせの内の１又はそれ以上の組み合わせでは、内側タンブラと外側タンブラとの間に補助タンブラが介在されており、
鍵穴のコードに適合する鍵が挿入されると、前記内側タンブラと外側タンブラの界面、補助タンブラと内側タンブラの界面又は補助タンブラと外側タンブラの界面が、外筒と内筒の界面と一致して内筒が外筒に対して回転可能となり、
鍵穴のコードに適合しない鍵が挿入されると、内側タンブラと外側タンブラのいずれか一方が内筒と外筒の界面に跨る状態、あるいは補助タンブラが外筒と内筒の界面に跨る状態となり内筒の回転が阻止されるシリンダー錠であり、
１又はそれ以上の前記補助タンブラは、鍵穴のコードを変更するための変更用補助タンブラであり、
少なくとも２個の前記外側タンブラは、互いに連動して動作する連動タンブラであり、
連動タンブラにおける一方の外側タンブラたる保持側タンブラと、内側タンブラとの間に変更用補助タンブラが位置する状態を基本状態とし、
前記外筒と内筒は、前記外筒側孔及び内筒側孔に対して並列に配された外筒側補助孔と内筒側補助孔を有し、外筒側補助孔が内筒側補助孔に対応する位置に配されており、
内筒側補助孔は、内側タンブラたる変更用内側タンブラが配されると共に、所定条件を満たす鍵により前記変更用補助タンブラを仮置き可能な仮置き部が形成されるもので、
外筒側補助孔は、外側タンブラたる変更用外側タンブラが配され、当該変更用外側タンブラは常に押圧されており、
変更用内側タンブラと変更用外側タンブラとの間に変更用補助タンブラが位置する状態を変形状態としており、
変形状態で特定の鍵が鍵穴に挿入されると、前記連動タンブラの他方の外側タンブラたる非保持側タンブラが内側タンブラに押圧され保持側タンブラの内筒側への突入が阻止されて、当該保持側タンブラと内側タンブラとの間に空隙が形成され、所定の位置にある変更用補助タンブラが前記空隙内に導入されて基本状態となり、当該基本状態を経てから鍵穴のコードが変更可能なことを特徴とする可変式シリンダー錠。
【請求項２】
可変式シリンダー錠は、少なくとも基本状態の鍵穴のコードに適合する基本鍵と、基本状態から鍵穴のコードを変更可能な交換鍵と、前記特定の鍵たるリターン鍵を使用可能であり、
前記基本状態で基本鍵が鍵穴に挿入された場合、内筒側孔と外筒側孔の組み合わせの中で変更用補助タンブラが存在しない組み合わせの部位においては、前記内側タンブラと外側タンブラの界面が外筒と内筒の界面と一致し、変更用補助タンブラが存在する組み合わせ部位においては、保持側タンブラと変更用補助タンブラの界面が外筒と内筒の界面と一致し、変更用補助タンブラを内筒内に抱えた状態で内筒が回転可能であり、
前記基本状態で交換鍵が鍵穴に挿入された場合、内筒側孔と外筒側孔の組み合わせの中で変更用補助タンブラが存在しない組み合わせの部位においては、前記内側タンブラと外側タンブラの界面が外筒と内筒の界面と一致し、さらに内筒側補助孔に前記仮置き部が形成され、変更用補助タンブラが存在する組み合わせ部位においては、変更用補助タンブラと内側タンブラの界面が外筒と内筒の界面と一致し、変更用補助タンブラを外筒内に残した状態で内筒を回転可能であり、当該状態で内筒を回転して仮置き部に変更用補助タンブラを移動して変更用補助タンブラの配置を前記変形状態に変更可能であり、
前記変形状態でリターン鍵が鍵穴に挿入された場合、内筒側孔と外筒側孔の組み合わせの中で変更用補助タンブラが存在しない組み合わせ部位においては、前記内側タンブラと外側タンブラの界面が外筒と内筒の界面と一致し、連動タンブラの非保持側タンブラが内側タンブラに押圧され、保持側タンブラの内筒側への突入が阻止されて保持側タンブラと内側タンブラとの間に空隙が形成され、変更用補助タンブラが存在する組み合わせ部位においては、変更用補助タンブラが変更用内側タンブラを介して前記仮置き部から押し出され、変更用補助タンブラと変更用内側タンブラとの界面が外筒と内筒の界面と一致し、変更用補助タンブラを外筒側補助孔に残した状態で内筒を回転可能であり、当該状態で内筒を回転して、前記空隙に変更用補助タンブラを移動させて補助タンブラの配置を基本状態に戻すことを特徴とする請求項１に記載の可変式シリンダー錠。
【請求項３】
前記外筒側孔は、外筒の軸方向一定領域毎に合計５つずつ形成されており、その内少なくとも２つの外筒側孔は外筒の軸線に直交する同一断面上に配されると共に当該２つの外筒側孔の内の１つに対して残りの外筒側孔の内の少なくとも別の１つが外筒の周方向に９０度離れて配置され、
前記内筒側孔は、内筒の軸方向一定領域毎に合計５つずつ形成されており、その内少なくとも２つの内筒側孔は内筒の軸線に直交する同一断面上に配されると共に当該２つの内筒側孔の内の１つに対して残りの内筒側孔の内の少なくとも別の１つが内筒の周方向に９０度離れて配置されていることを特徴とする請求項１又は２に記載の可変式シリンダー錠。
【請求項４】
外筒側補助孔は、段部を有し、
前記段部が、変更用外側タンブラの内筒側への突入を阻止することを特徴とする請求項１乃至３のいずれかに記載の可変式シリンダー錠。
【発明の詳細な説明】
【技術分野】
【０００１】
本発明は、錠のキーコードを変更可能な可変式シリンダー錠に関するものである。
【背景技術】
【０００２】
賃貸マンション、特にほぼ定期的に入居者が入れ替わる学生用の賃貸マンション（住居）やホテル（宿泊施設）等（以下、住居等とも言う）においては、キーの紛失や、盗難等が生じた場合、悪意のある人にそのキーが複製されて不正に解錠される懸念があるため、別のシリンダー錠に変えることが望ましい。
一方で、シリンダー錠の取替工事は時間が掛かる上、無駄な費用が掛かるため、住居等の管理者側からすると、出来るだけシリンダー錠の取替工事は行いたくないという要望があった。
【０００３】
そこで最近では、そのような住居等においては、シリンダー錠を取り替えることなく、既設シリンダー錠の鍵穴のコードを容易に変更できる可変式のシリンダー錠が採用されている。例えば、特許文献１には、鍵穴のコードを変更可能な複数のオーナーキーがあり、鍵穴のコードを操作して新たなオーナーキーに適合するように変更できる可変式シリンダー錠が開示されている。
【先行技術文献】
【特許文献】
【０００４】
【特許文献１】特開平１１−１２５０３９号公報
【発明の概要】
【発明が解決しようとする課題】
【０００５】
しかしながら、特許文献１に記載の発明は、未操作のオーナーキーを紛失したり、オーナーキーを操作する順番を誤った場合、新たな鍵穴のコードに変更できなくなったり、鍵穴のコードが中途半端に変更される場合があり、その結果、施・解錠できなくなる問題があった。
【０００６】
また、特許文献１に記載の発明は、鍵穴のコードを変更すると、補助タンブラがシリンダー錠から除去されるため、一旦、鍵穴のコードが変更されると変更前のコードに戻せなくなる。即ち、特許文献１では、鍵穴のコード変更は設定された回数分（オーナーキーの数）を超えて行うことが出来なかった。即ち、鍵穴のコードを設定された回数分を超えて変更を行おうとした場合、従来のシリンダー錠と同様、新たなシリンダー錠に取り替えるほかなかった。
【０００７】
そこで、本発明では、鍵穴のコードを容易に変更できると共に、同じ鍵穴のコードに何度でも変更可能な可変式シリンダー錠を提供することを課題とする。
【課題を解決するための手段】
【０００８】
上記課題を解決するための請求項１に記載の発明は、外筒と、当該外筒に対して相対的に回転できるように装入され軸方向に鍵穴が設けられた内筒を有し、前記内筒は、鍵穴と外部が連通した複数の内筒側孔が軸方向に配列されて設けられ、当該内筒側孔には内側タンブラが内蔵されており、前記外筒には、前記内筒側孔に対応する箇所に外筒側孔が設けられ、当該外筒側孔には外側タンブラが内蔵されており、前記外側タンブラは、常時内筒側に押圧されており、内側タンブラと外側タンブラの組み合わせの内の１又はそれ以上の組み合わせでは、内側タンブラと外側タンブラとの間に補助タンブラが介在されており、鍵穴のコードに適合する鍵が挿入されると、前記内側タンブラと外側タンブラの界面、補助タンブラと内側タンブラの界面又は補助タンブラと外側タンブラの界面が、外筒と内筒の界面と一致して内筒が外筒に対して回転可能となり、鍵穴のコードに適合しない鍵が挿入されると、内側タンブラと外側タンブラのいずれか一方が内筒と外筒の界面に跨る状態、あるいは補助タンブラが外筒と内筒の界面に跨る状態となり内筒の回転が阻止されるシリンダー錠であり、１又はそれ以上の前記補助タンブラは、鍵穴のコードを変更するための変更用補助タンブラであり、少なくとも２個の前記外側タンブラは、互いに連動して動作する連動タンブラであり、連動タンブラにおける一方の外側タンブラたる保持側タンブラと、内側タンブラとの間に変更用補助タンブラが位置する状態を基本状態とし、前記外筒と内筒は、前記外筒側孔及び内筒側孔に対して並列に配された外筒側補助孔と内筒側補助孔を有し、外筒側補助孔が内筒側補助孔に対応する位置に配されており、内筒側補助孔は、内側タンブラたる変更用内側タンブラが配されると共に、所定条件を満たす鍵により前記変更用補助タンブラを仮置き可能な仮置き部が形成されるもので、外筒側補助孔は、外側タンブラたる変更用外側タンブラが配され、当該変更用外側タンブラは常に押圧されており、変更用内側タンブラと変更用外側タンブラとの間に変更用補助タンブラが位置する状態を変形状態としており、変形状態で特定の鍵が鍵穴に挿入されると、前記連動タンブラの他方の外側タンブラたる非保持側タンブラが内側タンブラに押圧され保持側タンブラの内筒側への突入が阻止されて、当該保持側タンブラと内側タンブラとの間に空隙が形成され、所定の位置にある変更用補助タンブラが前記空隙内に導入されて基本状態となり、当該基本状態を経てから鍵穴のコードが変更可能なことを特徴とする可変式シリンダー錠である。
【０００９】
本発明の可変式シリンダー錠は、鍵穴のコードを変更するための変更用補助タンブラと、少なくとも２個の外側タンブラにより構成されて互いに連動して動作する連動タンブラを備えており、基本状態において、連動タンブラの保持側タンブラと内側タンブラとの間に変更用補助タンブラを配置する構成を備えている。また、基本状態から、変更用補助タンブラが所定の位置に移動した変形状態においては、連動タンブラと内側タンブラとの間には変更用補助タンブラが存在しないため、鍵穴に挿入される鍵によって、連動タンブラの非保持側タンブラを外部方向に押圧して、残りの保持側タンブラ側に空隙を形成することができる。これにより、変形状態における変更用補助タンブラを前記空隙を介して、元々配置されていた場所（基本状態における位置）に戻すことが可能となる。そして、本発明の可変式シリンダー錠では、鍵穴のコードを変更する場合、この基本状態を経てからコード変更が可能な構成とされている。
【００１０】
即ち、本発明の可変式シリンダー錠は、鍵穴のコードを変更した後に、さらに新たに鍵穴のコードを変更する場合であっても、一旦、基本状態を経てから変更される構成であるため、設定された鍵穴のコードが複数あっても、従来の可変式シリンダー錠のようにコード変更の順番を気にする必要がない。具体的には、例えば、ナンバー１〜９（基本状態のコードをナンバー１の鍵のコードとする）までの鍵があるとして、現在の鍵穴がナンバー２の鍵に適合するコードで、ナンバー８の鍵に適合するコードに変更する場合であっても、当該コードを一旦基本状態にしてから、直接ナンバー８の鍵に適合するコードに変更することが可能である。即ち、現在、ナンバー２の鍵に適合するコードである場合であっても、隣のナンバー３の鍵から順番にナンバー８の鍵まで操作して目的の鍵穴のコードまで変更していくような煩わしい作業を要さない。
【００１１】
また、本発明の可変式シリンダー錠は、鍵穴のコードを変更する場合、一旦鍵穴のコードを基本状態に戻すため、一度変更した鍵穴のコードでも何度も変更することが可能である。これにより、鍵穴のコードが変更できなくなるという問題が解消されるため、新たなシリンダー錠に取り替えることを要さない。即ち、本発明の可変式シリンダー錠を賃貸マンションやホテル等の人の入れ替わりが絶えない住居等に採用しても、シリンダー錠を取り替える必要がなく、無駄な費用を削減できる。
【００１２】
請求項２に記載の発明は、可変式シリンダー錠は、少なくとも基本状態の鍵穴のコードに適合する基本鍵と、基本状態から鍵穴のコードを変更可能な交換鍵と、前記特定の鍵たるリターン鍵を使用可能であり、前記基本状態で基本鍵が鍵穴に挿入された場合、内筒側孔と外筒側孔の組み合わせの中で変更用補助タンブラが存在しない組み合わせの部位においては、前記内側タンブラと外側タンブラの界面が外筒と内筒の界面と一致し、変更用補助タンブラが存在する組み合わせ部位においては、保持側タンブラと変更用補助タンブラの界面が外筒と内筒の界面と一致し、変更用補助タンブラを内筒内に抱えた状態で内筒が回転可能であり、前記基本状態で交換鍵が鍵穴に挿入された場合、内筒側孔と外筒側孔の組み合わせの中で変更用補助タンブラが存在しない組み合わせの部位においては、前記内側タンブラと外側タンブラの界面が外筒と内筒の界面と一致し、さらに内筒側補助孔に前記仮置き部が形成され、変更用補助タンブラが存在する組み合わせ部位においては、変更用補助タンブラと内側タンブラの界面が外筒と内筒の界面と一致し、変更用補助タンブラを外筒内に残した状態で内筒を回転可能であり、当該状態で内筒を回転して仮置き部に変更用補助タンブラを移動して変更用補助タンブラの配置を前記変形状態に変更可能であり、前記変形状態でリターン鍵が鍵穴に挿入された場合、内筒側孔と外筒側孔の組み合わせの中で変更用補助タンブラが存在しない組み合わせ部位においては、前記内側タンブラと外側タンブラの界面が外筒と内筒の界面と一致し、連動タンブラの非保持側タンブラが内側タンブラに押圧され、保持側タンブラの内筒側への突入が阻止されて保持側タンブラと内側タンブラとの間に空隙が形成され、変更用補助タンブラが存在する組み合わせ部位においては、変更用補助タンブラが変更用内側タンブラを介して前記仮置き部から押し出され、変更用補助タンブラと変更用内側タンブラとの界面が外筒と内筒の界面と一致し、変更用補助タンブラを外筒側補助孔に残した状態で内筒を回転可能であり、当該状態で内筒を回転して、前記空隙に変更用補助タンブラを移動させて補助タンブラの配置を基本状態に戻すことを特徴とする請求項１に記載の可変式シリンダー錠である。
【００１３】
本発明の可変式シリンダー錠は、基本状態の鍵穴のコードに適合した基本鍵と基本状態から鍵穴のコードを変更可能な交換鍵の他に、変更用補助タンブラの位置を変形状態から基本状態に戻すことができるリターン鍵が使用可能な構成である。即ち、目的に応じてそれぞれの鍵を使用することで、可変式シリンダー錠を便利に使用することができる。具体的には、基本状態の鍵穴のコードを利用する場合は基本鍵を操作し、基本状態の鍵穴のコードから新たなコードに変更する場合は、基本状態の鍵穴に交換鍵を挿入して操作することで鍵穴のコードが変更される（変形状態）。また、変形状態の鍵穴のコードをさらに新たなコードに変更する場合は、リターン鍵を操作することで簡単に基本状態に戻せるため、その後は前記同様、容易に目的の交換鍵の鍵穴のコードに変更することができる。
【００１４】
また、本発明の可変式シリンダー錠は、外筒に変更用外側タンブラが配された外筒側補助孔を有し、内筒に変更用内側タンブラが配された内筒側補助孔を有し、さらに内筒側補助孔に仮置き部を形成可能な構成である。逆に言えば、内筒側補助孔に形成した仮置き部を閉鎖することも可能である。即ち、本発明では、変更用補助タンブラが内筒側補助孔の仮置き部に位置する状態から、変更用内側タンブラを仮置き部が閉鎖される方向に移動させることで、変更用補助タンブラを内筒側補助孔から外筒側補助孔に移動させることができる。さらに、このとき、連動タンブラの保持側タンブラに対応する内筒側孔に空隙を形成させることができる。即ち、この状態で内筒を回転させて、その空隙と変更用補助タンブラを保持した外筒側補助孔とを向かい合わせると、変更用補助タンブラが押し出されて空隙に配置されて基本状態に戻る。即ち、本発明の可変式シリンダー錠によれば、変更用補助タンブラを連動タンブラと内側タンブラとの間と、変更用外側タンブラと変更用内側タンブラとの間を往復移動させるだけで、容易に鍵穴のコードが変更できる。従って、本発明の可変式シリンダー錠は、鍵穴のコードを変更する構造が単純であるため、生産効率を向上させることができる。
【００１５】
本発明の可変式シリンダー錠は、前記外筒側孔は、外筒の軸方向一定領域毎に合計５つずつ形成されており、その内少なくとも２つの外筒側孔は外筒の軸線に直交する同一断面上に配されると共に当該２つの外筒側孔の内の１つに対して残りの外筒側孔の内の少なくとも別の１つが外筒の周方向に９０度離れて配置され、前記内筒側孔は、内筒の軸方向一定領域毎に合計５つずつ形成されており、その内少なくとも２つの内筒側孔は内筒の軸線に直交する同一断面上に配されると共に当該２つの内筒側孔の内の１つに対して残りの内筒側孔の内の少なくとも別の１つが内筒の周方向に９０度離れて配置されていることが望ましい。（請求項３）
【００１６】
本発明に関連する発明として、前記変更用補助タンブラを球体とし、前記保持側タンブラと対向する内側タンブラ及び変更用内側タンブラの外筒側端部に変更用補助タンブラを保持可能な開口が形成されているのが好ましい。
【００１７】
かかる構成によれば、変更用補助タンブラが球体であるため、基本状態から変形状態、又は変形状態から基本状態とコードが変更される場合であっても、変更用補助タンブラの移動がスムーズである。
【００１８】
請求項４に記載の発明は、外筒側補助孔は、段部を有し、前記段部が、変更用外側タンブラの内筒側への突入を阻止することを特徴とする請求項１乃至３のいずれかに記載の可変式シリンダー錠である。
【００１９】
かかる構成によれば、変更用外側タンブラが内筒側補助孔に突入することがないため、内筒側補助孔に容易に空間（仮置き部）を形成することが可能となる。
【発明の効果】
【００２０】
本発明の可変式シリンダー錠は、２つの外側タンブラが連動して動作する連動タンブラを用いて、鍵の操作により、変更用補助タンブラを基本状態の配置や変形状態の配置に変更して鍵穴のコードを容易に変更できるため、鍵穴のコードを容易に変更できると共に、同じ鍵穴のコードに何度でも変更することができる。
【図面の簡単な説明】
【００２１】
【図１】本発明の実施形態に係る可変式シリンダー錠を示す斜視図である。
【図２】図１の可変式シリンダー錠の一部を破断して外筒側孔及び内筒側孔を示す斜視図である。
【図３】図２に示す可変式シリンダー錠の外筒側孔に外側タンブラを配し、内筒側孔に内側タンブラを配した状態を示す斜視図である。
【図４】外側タンブラ及び内側タンブラの拡大斜視図である。
【図５】図１の可変式シリンダー錠の一部に注目して模式的に示したＡ−Ａ断面で、鍵が挿入されていない状態での基本状態を示す断面図である。
【図６】可変式シリンダー錠における図５のＢ−Ｂ方向の断面図である。
【図７】第１子鍵（基本鍵）を示す図で、（ａ）は平面図で、（ｂ）は側面図である。
【図８】第２子鍵（交換鍵）を示す図で、（ａ）は平面図で、（ｂ）は側面図である。
【図９】リターン鍵を示す図で、（ａ）は平面図で、（ｂ）は側面図である。
【図１０】親鍵を示す図で、（ａ）は平面図で、（ｂ）は側面図である。
【図１１】図１の可変式シリンダー錠の一部に注目して模式的に示したＡ−Ａ断面で、基本状態の鍵穴のコードに適合する第１子鍵が挿入された状態を示す断面図である。
【図１２】可変式シリンダー錠における図１１のＢ−Ｂ断面で、（ａ）〜（ｂ）は、基本状態の鍵穴のコードに適合する第１子鍵が挿入されて解錠されるまでを示す段階毎の断面図である。
【図１３】図１の可変式シリンダー錠の一部に注目して模式的に示したＡ−Ａ断面で、基本状態の鍵穴に第２子鍵が挿入された状態を示す断面図である。
【図１４】可変式シリンダー錠における図１３のＢ−Ｂ断面で、（ａ）〜（ｄ）は、基本状態の鍵穴に第２子鍵が挿入されて第２子鍵に適合する鍵穴のコードに変更されるまでを示す段階毎の断面図である。
【図１５】可変式シリンダー錠のＢ−Ｂ断面で、（ａ）は、鍵が挿入されていない状態の第１変形状態を示す断面図で、（ｂ）は、第１変形状態の鍵穴に適合する第２子鍵が挿入されて操作された状態を示す断面図である。
【図１６】図１の可変式シリンダー錠の一部に注目して模式的に示したＡ−Ａ断面で、第１変形状態の鍵穴に第１子鍵が挿入された状態を示す断面図である。
【図１７】可変式シリンダー錠における図１６のＢ−Ｂ断面で、第１変形状態の鍵穴に第１子鍵が挿入されて操作した状態を示す断面図である。
【図１８】図１の可変式シリンダー錠の一部に注目して模式的に示したＡ−Ａ断面で、第１変形状態の鍵穴にリターン鍵が挿入された状態を示す断面図である。
【図１９】可変式シリンダー錠における図１８のＢ−Ｂ断面で、（ａ）〜（ｄ）は、第１変形状態の鍵穴にリターン鍵が挿入されて基本状態に戻されるまでの状態を示す段階毎の断面図である。
【図２０】図１の可変式シリンダー錠の一部に注目して模式的に示したＡ−Ａ断面で、基本状態のコードの鍵穴に親鍵が挿入された状態を示す断面図である。
【図２１】可変式シリンダー錠における図２０のＢ−Ｂ断面で、基本状態のコードの鍵穴に親鍵が挿入されて操作された状態を示す断面図である。
【図２２】図１の可変式シリンダー錠の一部に注目して模式的に示したＡ−Ａ断面で、第１変形状態のコードの鍵穴に親鍵が挿入された状態を示す断面図である。
【図２３】可変式シリンダー錠における図２２のＢ−Ｂ断面で、第１変形状態のコードの鍵穴に親鍵が挿入されて操作された状態を示す断面図である。
【発明を実施するための形態】
【００２２】
以下、本発明の実施形態に係る可変式シリンダー錠１について説明する。
なお、上下左右の位置関係については、特に断りがない限り、図面を基準として説明する。
【００２３】
本実施形態の可変式シリンダー錠１は、図１，２に示すように、表面に多数の窪みがある所謂ディンプル型の鍵５１を操作して図示しない戸体の施・解錠を可能とするもので、外筒２と、外筒２に対して相対的に回転するように装入される内筒３と、図３に示すように、外筒２に内蔵される外側タンブラ５と、外側タンブラ５を内筒側に付勢する圧縮バネ（付勢手段）６と、内筒３に内蔵される内側タンブラ７と、外筒２と内筒３との間を移動する変更用補助タンブラ８によって構成されている。なお、可変式シリンダー錠１及び鍵５１の図面は、本発明に関わる箇所に注目して描いており、その他の箇所は簡略化している。
【００２４】
外筒２は、円筒状のもので、軸方向に中心軸を含む貫通孔１１を有し、その貫通孔１１に後述する内筒３が軸の周方向に回転可能に装着される。また、外筒２は、後述する外側タンブラ５が配置される複数列の外筒側孔１２が、外筒２の外部側から見て軸方向に並列に並べて設けられている。外筒側孔１２は、断面形状がほぼ円形の貫通した孔で、外筒２の貫通孔１１から５方向に放射状に延びると共に、いずれの外筒側孔１２の貫通方向も外筒２の軸にほぼ直交するように延びている。具体的には、外筒側孔１２は、図２に示すように、貫通孔１１から水平方向（図２，３の左右方向）に延びる外筒側主孔（外筒側孔）３０，１３と、貫通孔１１から鉛直方向（図２，３の上方向）に延びる外筒側補助孔（外筒側孔）１５ａ〜１５ｄと、貫通孔１１から異なる斜め下方向に延びる２つの図示しない補助的外筒側孔があり、各外筒側孔１２が軸方向に並列に並べられている。
【００２５】
また、外筒側主孔１３の中心軸は、外筒側主孔３０の中心軸と同一の断面（外筒２の軸線に直交する断面）上に存在せず、且つ一部の外筒側補助孔１５の中心軸と同一の断面（外筒２の軸線に直交する断面）上に存在するように設定されている。換言すると、図５に示すように、外筒側主孔１３と外筒側主孔３０とは、外筒２の軸方向に交互に並べられており、且つ、外筒側主孔１３は、図６に示すように、一部の外筒側補助孔１５ａ，１５ｂと外筒２の軸方向同一位置に配列されている。一方、外筒側主孔３０は、中心軸が残りの外筒側補助孔１５ｃ，１５ｄの中心軸と同一の断面（外筒２の軸線に直交する断面）に存在するように設定されている。即ち、外筒側主孔３０と、残りの外筒側補助孔１５ｃ，１５ｄとは、外筒２の軸方向同一位置に配列されている。
なお、図示しない補助的外筒側孔は、基本的に外筒側主孔１３の構成とほぼ同じであり、本発明の特有の動作に直接関与しないため、説明を省略する。
【００２６】
外筒側主孔１３，３０は、それぞれ外筒２の軸方向に８個ずつ設けられている。また、本実施形態の可変式シリンダー錠１は、外筒側主孔１３と外筒側主孔３０にそれぞれ、軸方向に隣接する外筒側孔１２同士が連通した外側連通孔１６が２箇所ずつ設けられている。外側連通孔１６は、後述する２個の外側タンブラ５が連動して動作する連動タンブラ２５が配される部位である。本実施形態では、図５に示すように、右に位置する外筒側主孔１３においては、下（鍵挿入口５０）から４個目と５個目の２個の外筒側主孔１３が連通した外側連通孔１６ａと、６個目と７個目の２個の外筒側主孔１３が連通した外側連通孔１６ｂが設けられ、左に位置する外筒側主孔３０においては、下（鍵挿入口５０）から１個目と２個目の２個の外筒側主孔３０が連通した外側連通孔１６ｃと、７個目と８個目の２個の外筒側主孔１３が連通した外側連通孔１６ｄが設けられている。なお、外側連通孔１６以外の外筒側主孔１３，３０には、後述する外側主タンブラ（外側タンブラ）９が配される。
【００２７】
図１に示すように、外筒２の鉛直方向上部に位置する外筒側補助孔１５ａ〜１５ｄは、外筒２の軸方向に４個設けられている。また、外筒２には、外筒側補助孔１５ａ〜１５ｄを結んだ直線上、且つ外筒側補助孔１５ａ〜１５ｄを挟む位置に、鍵穴１７と連通しない穴３９，４０が形成されている。なお、穴３９，４０は、本発明に直接的に関係しないため簡単に説明すると、穴３９，４０は防犯用のもので、穴３９には図示しないピンが挿通され、穴４０には外筒側補助孔１５ａ〜１５ｄを覆う図示しないピンカバーのかしめ部分が引っ掛かり、それの外れを防止する抜け止め用の穴である。
【００２８】
外筒側補助孔１５ａ〜１５ｄには、内筒３側の内径を狭くした段部３４が設けられている。本実施形態では、図１，５，６に示すように、鍵挿入口５０側から２個目の外筒側補助孔１５ａと、鍵挿入口５０側から５個目の外筒側主孔１３とが同一断面（外筒２の軸に直交する断面）に配置され、鍵挿入口５０側から３個目の外筒側補助孔１５ｂと、鍵挿入口５０側から７個目の外筒側主孔１３とが同一断面に配置され、さらに鍵挿入口５０側から１個目の外筒側補助孔１５ｃと、鍵挿入口５０側から２個目の外筒側主孔３０とが同一断面に配置され、鍵挿入口５０側から４個目の外筒側補助孔１５ｄと、鍵挿入口５０側から８個目の外筒側主孔３０とが同一断面に配置されている。なお、外筒側補助孔１５には、後述する変更用外側タンブラ１４が配置される。
【００２９】
内筒３は、図２に示すように、円筒状のもので、外径が外筒２の貫通孔１１の内径とほぼ等しく、貫通孔１１内で軸の周方向に回転可能に装着される。内筒３は、軸方向の長さが外筒２より若干長く、一方の端部が外筒２の端部から突出しており、その突出側の端部に軸方向に貫通した鍵穴１７が形成されている。また、内筒３には、外筒２の外筒側孔１２に対応する位置に鍵穴１７に連通した内筒側孔１８が設けられている。内筒側孔１８は、後述する内側タンブラ７が配される部位で、断面形状がほぼ円形状の貫通した孔である。そして、内筒側孔１８は、外筒側孔１２と同様、鍵穴１７から５方向に放射状に延びており、外筒２の軸に対してほぼ直交している。
【００３０】
具体的には、内筒側孔１８は、図２に示すように、鍵穴１７から水平方向（図２の左右方向）に延びる内筒側主孔（内筒側孔）２０と、鍵穴１７から鉛直方向（図２の上方向）に延びる内筒側補助孔（内筒側孔）２１ａ〜２１ｄと、鍵穴１７から斜め下方向に延びる図示しない補助的内筒側孔があり、５方向の内筒側孔１８は外筒側孔１２と同様、それぞれの内筒側孔１８は外部側から見て並列に並べられている。
【００３１】
また、内筒側主孔２０の中途には、内径を狭くした段部２２が設けられている。即ち、段部２２は、後述する内側主タンブラ１０が鍵穴１７に落ち込まないようにストッパーの機能を果たすものである。また、内筒側補助孔２１にも、段部２２が設けられており、段部２２により、後述する変更用内側タンブラ１９が鍵穴１７に落ち込まないように設定されている。
【００３２】
また、外筒側孔１２に配される外側タンブラ５は、図３，４に示すように、ピン型であり、外筒側主孔１３，３０並びに図示しない補助的外筒側孔に配される外側主タンブラ９と、外側連通孔１６ａ〜１６ｄに配される連動タンブラ２５と、外筒側補助孔１５に配される変更用外側タンブラ１４がある。また、内筒側孔１８に配される内側タンブラ７も、ピン型であり、内筒側主孔２０並びに図示しない補助的内筒側孔に配される内側主タンブラ１０と、内筒側補助孔２１に配される変更用内側タンブラ１９がある。
【００３３】
外側主タンブラ９は、図４に示すように、一方の端面が閉塞され、他方の端面が開放された筒体である。外側主タンブラ９は、閉塞された端面を内筒３側に向けつつ、開放された端面側に圧縮バネ６が配されて、当該圧縮バネ６により常時内筒３側に付勢される部材である。
変更用外側タンブラ１４は、外側主タンブラ９とほぼ同じ構成であるため説明を省略する。
なお、全ての外側主タンブラ９の軸方向長さは等しくされておらず、複数種類の長さに分けられている。
【００３４】
連動タンブラ２５は、軸方向長さが同じ２個の外側主タンブラ９を軸が平行になるように配置しつつ、同じ側に開放側の端面が位置するように配置させて外側主タンブラ９の側面同士を連結したものである。連動タンブラ２５も、閉塞側の端面を内筒３側に向け、開放された端面側にそれぞれ圧縮バネ６が配されて、当該圧縮バネ６により常時内筒３側に付勢される部材である。
【００３５】
大半の内側主タンブラ１０は、図４に示すように、先端が円錐形で、中間が円筒形、さらに後端は中間より径が大きい円板状の係止部２３ａを備えたキノコ型の形状である（内側主タンブラ１０ａ）。一方、残りの内側主タンブラ１０は、先端及び中間の形状は内側主タンブラ１０ａとほぼ同じであるが、後端側は前記した円板状の係止部２３ａより小さく中間部より若干外径を拡げた形状の係止部２３ｂを備えており、さらに後端面が開放された形状である（内側主タンブラ１０ｂ）。即ち、内側主タンブラ１０ｂの後端面は、開口が備えられている。この内側主タンブラ１０ｂは、連動タンブラ２５の一方のタンブラ（保持側タンブラ２６）が配される外側連通孔１６に対応する内筒側主孔２０及び内筒側補助孔２１ａ〜２１ｄにのみに配されるものである。即ち、変更用内側タンブラ１９は、内側主タンブラ１０ｂと同じものが採用されるため、説明を省略する。
なお、全ての内側主タンブラ１０ａの軸方向長さは同一ではなく、複数種類の長さに分けられている。具体的には、内側主タンブラ１０ａの軸方向長さは、外側主タンブラ９の軸方向長さにより決定されるものである。即ち、本実施形態では、各外側主タンブラ９と内側主タンブラ１０ａの組み合わせ合計長さがそれぞれ等しくなるように設定されている。
【００３６】
変更用補助タンブラ８は、球体で、連動タンブラ２５と内側主タンブラ１０ｂとの間か、変更用外側タンブラ１４と変更用内側タンブラ１９との間に存在するもので、本実施形態では、この変更用補助タンブラ８の配置が変更されることによって鍵穴１７のコードが変更される。
【００３７】
次に、本実施形態の可変式シリンダー錠１の組み立て構造について説明する。
【００３８】
可変式シリンダー錠１は、図１に示すように、外筒２の貫通孔１１に内筒３が配されると共に、内筒３の鍵挿入口５０側の端部を外筒２の一方の端部から突出するように配置して、内筒３が外筒２に対して相対回転可能に装着されている。なお、本実施形態では、内筒３の鍵穴１７に鍵５１が挿入される前は、鍵穴１７の長手側の辺が鉛直方向に起きた状態（鍵無起立状態）である。
【００３９】
可変式シリンダー錠１の内部においては、図２，３，５，６に示すように、鍵穴１７の鍵無起立状態において、外筒２の外側連通孔１６ａ〜１６ｄを含む外筒側主孔１３と内筒３の内筒側主孔２０が連通しており、外筒２の外筒側補助孔１５ａ〜１５ｄと内筒３の内筒側補助孔２１ａ〜２１ｄが連通しており、外筒２の図示しない補助的外筒側孔と内筒３の図示しない補助的内筒側孔が連通している。そして、外筒側主孔１３には圧縮バネ６と外側主タンブラ９が配され、外側連通孔１６ａ〜１６ｄには圧縮バネ６と連動タンブラ２５が配され、外筒側補助孔１５ａ〜１５ｄには圧縮バネ６と変更用外側タンブラ１４が配され、図示しない補助的外筒側孔には圧縮バネ６と外側主タンブラ９が配されている。さらに、内筒側主孔２０には内側主タンブラ１０が配され、内筒側補助孔２１ａ〜２１ｄには変更用内側タンブラ１９が配され、図示しない補助的内筒側孔には内側主タンブラ１０が配されている。なお、本実施形態では、初期状態（取り付け当初）の鍵穴１７のコードにおいては、図５，６に示すように、変更用補助タンブラ８が連動タンブラ２５の保持側タンブラ２６と内側主タンブラ１０ｂとの間に配置されている（基本状態）。また、以下の説明においては、便宜上、連動タンブラ２５における保持側タンブラ２６に対して、他方の外側タンブラを非保持側タンブラ２７と称する。
【００４０】
従って、鍵穴１７の鍵無起立状態においては、外筒側主孔１３に配された外側主タンブラ９は、圧縮バネ６によって内筒３側に付勢されて、内筒側主孔２０に配された内側主タンブラ１０ａを鍵穴１７側に押圧し、外側連通孔１６ａ〜１６ｄに配された連動タンブラ２５は、圧縮バネ６によって内筒３側に付勢されて、保持側タンブラ２６が変更用補助タンブラ８を直接押圧しつつ、間接的に内側主タンブラ１０ｂを押圧している。これにより、内側主タンブラ１０は、内筒３の鍵穴１７から先端側が突出した配置となる。さらに、連動タンブラ２５の非保持側タンブラ２７は、保持側タンブラ２６と連動した動作をするため、保持側タンブラ２６と同位置の配置となる。
【００４１】
そして、この状態においては、全ての組み合わせの外側主タンブラ９と内側主タンブラ１０との界面は、外筒２と内筒３との所謂シェアライン（界面）４に一致していない。このとき、内筒側主孔２０の段部２２に、内側タンブラ７の係止部２３ａ，２３ｂが係止されるため、鍵穴１７内に内側タンブラ７が脱落することがない。
なお、前記状態における、本発明の特徴的構成たる連動タンブラ２５における保持側タンブラ２６と変更用補助タンブラ８との界面も、シェアライン４に一致していない。具体的には、連動タンブラ２５の先端側がシェアライン４に跨った状態である。
【００４２】
また、鍵穴１７の鍵無起立状態における外筒側補助孔１５ａ〜１５ｄでは、圧縮バネ６により変更用外側タンブラ１４が内筒３側に付勢されるが、外筒側補助孔１５の内周に段部３４があるため、その段部３４により変更用外側タンブラ１４が規制された配置となる。即ち、本実施形態では、圧縮バネ６で付勢された変更用外側タンブラ１４は外筒側補助孔１５ａ〜１５ｄから内筒側補助孔２１ａ〜２１ｄに突入することがないため、内筒３内で変更用外側タンブラ１４が変更用内側タンブラ１９を直接押圧することはない。また、鍵穴１７の鍵無起立状態における内筒側補助孔２１ａ〜２１ｄでは、当該孔が鉛直方向に延びた状態であるため、内筒側補助孔２１ａ〜２１ｄに配された変更用内側タンブラ１９は重力で先端が鍵穴１７側から突出した配置となる。このとき、変更用内側タンブラ１９には、変更用補助タンブラ８を収容することができる仮置き部３５が形成される。
【００４３】
次に、本実施形態の可変式シリンダー錠１における動作について説明する。
なお、分かり易く説明するため、図７〜２１までの図面は、本発明の特有の動作を行うところにのみ注目して描いており、その他の箇所は簡略化している。具体的には、図７〜２１は、１箇所の連動タンブラ２５に関わる箇所の動作に注目している。
【００４４】
ここで、本実施形態で採用される鍵５１には、図７〜１０に示すように、初期状態の鍵穴１７のコードに適合し施・解錠できる第１子鍵（基本鍵）５２と、新たな鍵穴１７のコードに変更して施・解錠可能な第２子鍵（交換鍵）５３及び図示しない第３子鍵（交換鍵）と、鍵穴１７のコードを基本状態に戻すリターン鍵５５と、いかなる鍵穴１７のコードであっても施・解錠可能な親鍵５４とがある。
また各鍵の注目する箇所は、可変式シリンダー錠１における外側連通孔１６ａが位置する箇所で、具体的には、第１子鍵５２は平部に２個の凹部５６を有し、第２子鍵５３は平部の非保持側タンブラ２７側に１個の凹部５６と側部の保持側タンブラ２６側に１個の凹部５６を有し、リターン鍵５５は平部の保持側タンブラ２６に１個の凹部５６を有し、親鍵５４は平部及び側部に凹部５６を有さない形状とされている。また、図示しない第３子鍵は、外側連通孔１６ｂ〜１６ｄのいずれかが位置する箇所が第１子鍵５２や第２子鍵５３と異なる形状である。
【００４５】
以下、図５，６が示す基本状態の鍵穴１７のコードに適合する鍵が第１子鍵５２として説明する。
【００４６】
（第１子鍵による操作）
前記したように、図５，６に示す鍵５１が挿入される前の鍵無起立状態においては、全ての組み合わせの外側タンブラ５と内側タンブラ７との界面及び全ての組み合わせの外側タンブラと変更用補助タンブラ８との界面が外筒２と内筒３のシェアライン４と一致していない状態であるため、内筒３が外筒２に対して相対回転し得ず、施・解錠できない。即ち、施・解錠するためには、全ての組み合わせの外側タンブラ５と内側タンブラ７との界面及び全ての組み合わせの外側タンブラ５と変更用補助タンブラ８との界面を、外筒２と内筒３のシェアライン４に一致させる必要がある。即ち、外側タンブラ５や内側タンブラ７、並びに、変更用補助タンブラ８が、外筒２と内筒３のシェアライン４を跨いだ配置とならないように移動させる必要がある。そこで、本実施形態では、図５，６の状態から施・解錠する場合は、基本状態の鍵穴１７のコードに合った第１子鍵５２を挿入する。第１子鍵５２は、前記したが、平部に２個の凹部５６を有した構造である。
【００４７】
そして、図１１に示すように、第１子鍵５２を鍵穴１７に挿入すると、全ての組み合わせの外筒側主孔１３，３０の外側主タンブラ９と内筒側主孔２０の内側主タンブラ１０の界面と、全ての組み合わせの図示しない補助的外筒側主孔の外側主タンブラと補助的内筒側主孔の内側主タンブラの界面がシェアライン４に一致するように移動する。
【００４８】
さらに、鍵穴１７に第１子鍵５２が挿入されると、図１１，１２（ａ）に示すように、第１子鍵５２の凹部５６に、外側連通孔１６ａに配置された本発明の特徴的構成たる連動タンブラ２５によって押圧された内側主タンブラ１０ａの先端が嵌り込んで、保持側タンブラ２６と変更用補助タンブラ８の界面が、シェアライン４と一致する。換言すると、変更用補助タンブラ８は、内筒側主孔２０に保持された状態となる。なお、連動タンブラ２５の非保持側タンブラ２７は、保持側タンブラ２６に連動するため、シェアライン４に跨る位置に配置されない。
【００４９】
従って、基本状態の鍵穴１７に第１子鍵５２を挿入すると、外筒２と内筒３のシェアライン４に跨る障害がなくなる。これにより、第１子鍵５２を回すことが可能となる。即ち、図１２（ｂ）に示すように、第１子鍵５２を左回りに回すと、内筒３が変更用補助タンブラ８を保持しつつ、外筒２に対して相対的に回転して解錠することができる。反対に、第１子鍵５２を右回りに回すと施錠することができる。具体的には、鍵無起立状態から９０度回転させた位置で施錠又は解錠が行われる。
【００５０】
（第２子鍵による操作）
また、この基本状態の鍵穴１７に第２子鍵５３を挿入すると、鍵穴１７のコードを第２子鍵５３に適合したコードに変更することができる。なお、第２子鍵５３は、前記したが、平部の非保持側タンブラ２７側に１個の凹部５６と側部の保持側タンブラ２６側に１個の凹部５６を有した構造で、第１子鍵５２と比較すると、保持側タンブラ２６側に凹部５６がないことと、側部の保持側タンブラ２６側に凹部５６があることが異なる。
【００５１】
即ち、図１３に示すように、鍵無起立状態の鍵穴１７に第２子鍵５３を挿入すると、全ての組み合わせの外筒側主孔１３，３０の外側主タンブラ９と内筒側主孔２０の内側主タンブラ１０の界面と、全ての組み合わせの図示しない補助的外筒側主孔の外側主タンブラと補助的内筒側主孔の内側主タンブラの界面が、鍵無起立状態で外筒２と内筒３のシェアライン４と一致するように移動する。
【００５２】
特に、基本状態の鍵穴１７に第２子鍵５３が挿入された場合は、図１３，１４（ａ）に示すように、第２子鍵５３の平部によって外側連通孔１６ａの連動タンブラ２５に対応する内側主タンブラ１０が外筒２側に押圧され、当該連動タンブラ２５と変更用補助タンブラ８と内側主タンブラ１０の配置が変更されて、内側主タンブラ１０と変更用補助タンブラ８との界面が、外筒２と内筒３のシェアライン４と一致する。即ち、内側主タンブラ１０の後端面が外筒側に移動して、変更用補助タンブラ８が外側連通孔１６ａ側に押し出されて、外側連通孔１６ａに保持された状態となる。
【００５３】
一方、第２子鍵５３を挿入した場合、外筒側補助孔１５の変更用外側タンブラ１４と内筒側補助孔２１の変更用内側タンブラ１９の界面は、外筒２と内筒３のシェアライン４に一致しない。具体的には、第２子鍵５３には、前記したように、側部の外筒側補助孔１５ａに対応する箇所に凹部５６があるため、変更用内側タンブラ１９は外筒２側に押圧されない。即ち、基本状態の鍵穴１７に第２子鍵５３が挿入された場合、変更用内側タンブラ１９は、外筒２と内筒３とのシェアライン４に一致することなく且つ当該シェアライン４に跨ることもない。そして、変更用内側タンブラ１９と変更用外側タンブラ１４との間に仮置き部３５を形成した状態を維持する。
【００５４】
従って、基本状態の鍵穴１７に第２子鍵５３を挿入すると、変更用補助タンブラ８が外筒２の外側連通孔１６ａに移動すると共に、外筒２と内筒３のシェアライン４に跨る障害がなくなる。これにより、第２子鍵５３を回すことが可能となる。また、この状態においては、内筒側補助孔２１ａに仮置き部３５が形成された状態が維持されている。即ち、図１４（ｂ）に示すように、第２子鍵５３を右回りに回す（９０度）と、外筒２が変更用補助タンブラ８を保持した状態で、内筒３が外筒２に対して相対的に回転し、仮置き部３５が外側連通孔１６ａの位置に達すると、図１４（ｃ）に示すように、仮置き部３５に変更用補助タンブラ８が押し出される。そして、当該変更用補助タンブラ８と連動タンブラ２５の保持側タンブラ２６の界面が、外筒２と内筒３のシェアライン４に一致する。そして、その状態で、第２子鍵５３を左回りに回して、鍵穴１７を起立状態に戻す。このとき、内筒３は内筒側補助孔２１ａに変更用補助タンブラ８を保持しつつ、外筒２に対して相対的に回転する。
【００５５】
これにより、鍵穴１７が起立状態に戻った時点（鍵穴１７のコード変更後）では、図１４（ｄ）に示すように、変更用補助タンブラ８は、変更用外側タンブラ１４と変更用内側タンブラ１９との間に位置している（第１変形状態）。即ち、図１５（ａ）に示すように、第１変形状態において、鍵が挿入されていない状態では、内筒側補助孔２１ａの仮置き部３５に変更用補助タンブラ８が保持されると共に、連動タンブラ２５の中間あたりまでが内筒３側に突入してシェアライン４に跨っている。即ち、鍵穴１７のコードが第２子鍵５３に適合するコードに変更された状態である。そして、図１４（ｄ）に示すように、第１変形状態の鍵穴１７に第２子鍵５３を挿入すると、外筒側補助孔１５ａと内筒側補助孔２１ａの内部においては、変更用外側タンブラ１４と変更用補助タンブラ８との界面と、外筒２と内筒３とのシェアライン４とが一致し、さらに外側連通孔１６ａと内筒側主孔２０の内部においては、連動タンブラ２５と内側主タンブラ１０との界面と、外筒２と内筒３とのシェアライン４とが一致する。その他の全ての箇所については、第１子鍵５２を挿入した場合と同じであるため、説明を省略する。
【００５６】
従って、第１変形状態の鍵穴１７に第２子鍵５３を挿入すると、基本状態の鍵穴１７に第１子鍵５２を挿入した場合と同様、外筒２と内筒３のシェアライン４に跨る障害がなくなる。これにより、第２子鍵５３を回すことが可能となる。即ち、図１５（ｂ）に示すように、第２子鍵５３を左回りに９０度回すと、内筒３の内筒側補助孔２１ａが変更用補助タンブラ８を保持しつつ、外筒２に対して相対的に回転して解錠することができる。反対に、第２子鍵５３を右回りに９０度回すと施錠することができる。
【００５７】
一方、第１変形状態の鍵穴１７に第１子鍵５２を挿入すると、当該鍵穴１７のコードに第１子鍵５２が適合しないため、内筒３が外筒２に対して相対回転を行うことができない。この理由としては、基本状態の鍵穴１７において外側連通孔１６ａに存在していた変更用補助タンブラ８が、鍵穴１７が第１変形状態に変更されることで、内筒側補助孔２１ａに移動したため、第１子鍵５２が第１変形状態の鍵穴１７に適合できなくなったことによる。
【００５８】
即ち、図１６，１７に示すように、第１変形状態の鍵穴１７に第１子鍵５２を挿入すると、外側連通孔１６ａにおける連動タンブラ２５が外筒２と内筒３とのシェアライン４に跨る配置となり、施・解錠不能となる。これは、第１変形状態においては、変更用補助タンブラ８が外側連通孔１６ａにおける連動タンブラ２５とその連動タンブラ２５に対応する内側主タンブラ１０との間に存在しないため、第１子鍵５２の平部の凹部５６に内側主タンブラ１０が嵌り込んで、連動タンブラ２５が内筒３側へ突入するからである。また、図示しないが、鍵穴１７のコードに適合しない場合は、前記以外の箇所においても、同様の動作が起こり得るため、コード変更後の鍵穴１７にコード変更前の鍵を使用しても施・解錠することは不可能である。
【００５９】
（リターン鍵及び第３子鍵による操作）
また、本実施形態の可変式シリンダー錠１においては、第１変形状態からさらに鍵穴１７のコードを変更する場合は、一旦、基本状態の鍵穴１７のコードに戻す必要がある。即ち、図１８に示すように、第１変形状態の鍵穴１７にリターン鍵５５を挿入する。これにより、全ての組み合わせの外筒側主孔１３，３０の外側主タンブラ９と内筒側主孔２０の内側主タンブラ１０の界面と、全ての組み合わせの図示しない補助的外筒側主孔の外側主タンブラと補助的内筒側主孔の内側主タンブラの界面が、シェアライン４に一致するように移動する。
【００６０】
特に、第１変形状態の鍵穴１７にリターン鍵５５が挿入された場合は、図１８，１９（ａ）に示すように、リターン鍵５５の平部によって外側連通孔１６ａの連動タンブラ２５の非保持側タンブラ２７に対応する内側主タンブラ１０ａが外筒２側に押圧され、連動タンブラ２５が外筒２と内筒３とのシェアライン４に跨らない配置となる。即ち、連動タンブラ２５の非保持側タンブラ２７と内側主タンブラ１０ａの界面が、外筒２と内筒３のシェアライン４と一致する。このとき、リターン鍵５５の平部に設けられた凹部５６に、連動タンブラ２５の保持側タンブラ２６に対応する内側主タンブラ１０ｂの先端が嵌り込む。そのため、第１変形状態の鍵穴１７にリターン鍵５５が挿入された場合は、非保持側タンブラ２７と内側主タンブラ１０との界面がシェアライン４と一致して、保持側タンブラ２６の内筒３側への突入が阻止されると共に、当該保持側タンブラ２６と内側主タンブラ１０ｂとの間に間隙２４が形成される。
【００６１】
また、鍵無起立状態において、外筒２と内筒３のシェアライン４と一致していた内筒側補助孔２１ａの変更用補助タンブラ８と外筒側補助孔１５ａの変更用外側タンブラ１４の界面が外筒２側に移動した配置となる。即ち、内筒側補助孔２１ａの変更用内側タンブラ１９がリターン鍵５５の側部に押圧されて外筒２側に移動して、変更用内側タンブラ１９と変更用補助タンブラ８との界面が、外筒２と内筒３のシェアライン４に一致する。換言すると、第１変形状態の鍵穴１７にリターン鍵５５が挿入されると、変更用補助タンブラ８は、内筒３に保持されていた状態から、外筒２に保持される状態にされる。
【００６２】
従って、第１変更状態の鍵穴１７にリターン鍵５５を挿入すると、内筒側主孔２０に間隙２４が形成されると共に、変更用補助タンブラ８が外筒２の外筒側補助孔１５ａに移動し、外筒２と内筒３のシェアライン４に跨る障害がなくなる。これにより、リターン鍵５５を回すことが可能となる。即ち、図１９（ｂ）に示すように、リターン鍵５５を左回りに回す（９０度）と、外筒側補助孔１５ａが変更用補助タンブラ８を保持した状態で、内筒３が外筒２に対して相対的に回転して、図１９（ｃ）に示すように、間隙２４が外筒側補助孔１５ａの位置に達すると、内筒側主孔２０の間隙２４に変更用補助タンブラ８が押し出される。そして、当該変更用補助タンブラ８と変更用外側タンブラ１４の界面が、外筒２と内筒３のシェアライン４に一致する。そして、その状態で、図１９（ｄ）に示すように、リターン鍵５５を右回りに回して、鍵穴１７を起立状態に戻す。このとき、内筒３は内筒側主孔２０に変更用補助タンブラ８を保持しつつ、外筒２に対して相対的に回転する。
【００６３】
従って、第１変形状態の鍵穴１７にリターン鍵５５を挿入して操作すると、内筒側補助孔２１ａに位置していた変更用補助タンブラ８が、外側連通孔１６ａにおける保持側タンブラ２６とその保持側タンブラ２６に対応する内側主タンブラ１０との間に移動する。即ち、リターン鍵５５を操作することで、第１変形状態の配置に変更された変更用補助タンブラ８が、基本状態の配置に戻ることとなる。そして、必要に応じて、基本状態となった鍵穴１７に図示しない第３子鍵を挿入して、鍵穴１７のコードを変更することができる（第２変形状態）。なお、前記第３子鍵を使用した場合も、先に説明した第２子鍵で鍵穴１７のコードを変更した場合と同様の操作を行うため、説明を省略する。また、第２変形状態となった鍵穴１７に第１子鍵５２や第２子鍵５３を使用しても、鍵穴１７のコードに適合しないため施・解錠することができない。
【００６４】
即ち、本実施形態の可変式シリンダー錠１においては、鍵穴１７のコードを変更する場合は、鍵穴１７を一旦、基本状態にしてから所望のコードに変更できるため、複数の子鍵が揃えられていても、それぞれの鍵穴１７のコードへは基本状態を基準に並列的に変更できるため、直列的な変更のように順番にコードを変更していく煩わしさがない。さらに、本実施形態の可変式シリンダー錠１によれば、一度変更した鍵穴１７のコードであっても、何度でも使用することができるため、取り替える必要が全くない。
【００６５】
（親鍵による操作）
また、本実施形態の可変式シリンダー錠１は、現在の鍵穴１７に適合する子鍵を紛失したり、盗難された場合であっても、施・解錠できる親鍵５４を使用することができる。即ち、親鍵５４を用いれば、基本状態や変形状態の鍵穴１７であっても確実に施・解錠することができる。例を挙げて説明すると、図５，６に示すように、変更用補助タンブラ８が基本状態の配置の場合は、親鍵５４を鍵穴１７に挿入すると、前記同様、外筒側主孔１３，３０と内筒側主孔２０における内側主タンブラ１０の界面と、図示しない補助的外筒側主孔の外側主タンブラ９と補助的内筒側主孔の内側主タンブラの界面が、シェアライン４に一致するように移動する。
【００６６】
また、変更用補助タンブラ８が移動し得る箇所においては、図２１，２２に示すように、内筒３側に仮置き部３５や間隙２４を形成することなく、親鍵５４の平部で変更用補助タンブラ８を外筒側に押し出して、変更用補助タンブラ８と内側主タンブラ１０の界面を外筒２と内筒３のシェアライン４に一致させる。これにより、内筒２が変更用補助タンブラ８を保持することなく外筒２と相対的に回転することが可能となる。即ち、基本状態の鍵穴１７に親鍵５４を挿入して左回りに回す（９０度）と解錠でき、右回りに回す（９０度）と施錠できる。なお、第１変形状態の鍵穴１７に親鍵５４を使用した場合であっても、前記した場合と同様の動作が実行されて、施・解錠が可能となる。
【００６７】
なお、上記説明では、鍵穴１７のコードを変更する際に、変更したい子鍵を右回しに回転させる構成を示したが、変更用補助タンブラ８を外筒側主孔３０側に設けた場合は、鍵穴１７のコードを変更する場合は、左回しに回転させる。
【００６８】
上記実施形態では、外筒側孔１２及び内筒側孔１８を５方向に放射状に設けた構成を示したが、本発明はこれに限定されず、例えば、鉛直方向と水平方向の２方向のみであったり、鉛直方向と水平方向を含む６方向以上設けられた構成であっても構わない。
【００６９】
上記実施形態では、球体の変更用補助タンブラ８を用いた構成を示したが、本発明はこれに限定されず、例えば、外側タンブラ５や内側タンブラ７のようにピン形状であっても構わない。
【００７０】
上記実施形態では、子鍵を３本採用して説明したが、本発明はこれに限定されず、４本以上の子鍵を採用しても構わない。その場合、変更用補助タンブラ８が移動し得る箇所を増加させる必要がある。
【００７１】
上記実施形態では、付勢手段として圧縮バネ６を採用した構成を示したが、本発明はこれに限定されず、ゴムなどの弾性体や板バネなどを用いた構成であっても構わない。
【符号の説明】
【００７２】
１    可変式シリンダー錠
２    外筒
３    内筒
４    シェアライン（界面）
５    外側タンブラ
６    圧縮バネ（付勢手段）
７    内側タンブラ
８    変更用補助タンブラ
１２    外筒側孔
１４    変更用外側タンブラ
１５    外筒側補助孔
１７    鍵穴
１８    内筒側孔
１９    変更用内側タンブラ
２１    内筒側補助孔
２４    間隙
２５    連動タンブラ
２６    保持側タンブラ
２７    非保持側タンブラ
３４    段部
３５    仮置き部
５１    鍵
５２    第１子鍵（基本鍵）
５３    第２子鍵（交換鍵）
５４    親鍵
５５    リターン鍵
【図１】
0005563358.tif 000002
【図２】
0005563358.tif 000003
【図３】
0005563358.tif 000004
【図４】
0005563358.tif 000005
【図５】
0005563358.tif 000006
【図６】
0005563358.tif 000007
【図７】
0005563358.tif 000008
【図８】
0005563358.tif 000009
【図９】
0005563358.tif 000010
【図１０】
0005563358.tif 000011
【図１１】
0005563358.tif 000012
【図１２】
0005563358.tif 000013
【図１３】
0005563358.tif 000014
【図１４】
0005563358.tif 000015
【図１５】
0005563358.tif 000016
【図１６】
0005563358.tif 000017
【図１７】
0005563358.tif 000018
【図１８】
0005563358.tif 000019
【図１９】
0005563358.tif 000020
【図２０】
0005563358.tif 000021
【図２１】
0005563358.tif 000022
【図２２】
0005563358.tif 000023
【図２３】
0005563358.tif 000024